(57)【要約】  【課題】光学的情報記録媒体にデータを記録する際に、広い線速度範囲で、歪みのないマークを記録する。  【解決手段】マーク６０４の長さがデータの記録符号長に対応するように、記録パワーと消去パワーを含む複数のパワーレベルに対応する記録パルス列として記録パルスを１３形成し、記録パルス列をマルチパルス６０２と後端パルス６０３を含む複数のパルスにより構成する。複数種類の線速度で、記録媒体にレーザ光を照射してマークを形成する。線速度ｖ１およびｖ２が、ｖ１＜ｖ２の関係にあるとき、次の式を満足させる。（ＴＬ１／Ｔｗ１）＜（ＴＬ２／Ｔｗ２）、かつ（（ＴＭ２／Ｔｗ２）／（ＴＭ１／Ｔｗ１））＜（（ＴＬ２／Ｔｗ２）／（ＴＬ１／Ｔｗ１））。Ｔｗ１、Ｔｗ２：線速度ｖ１、ｖ２における各チャネルクロック周期。ＴＬ１、ＴＬ２：線速度ｖ１、ｖ２における各後端パルス幅。ＴＭ１、ＴＭ２：線速度ｖ１、ｖ２における各マルチパルスの幅。【選択図】図６
2005302271.tif 000002
【特許請求の範囲】
【請求項１】
光学的情報記録媒体に形成されるマークまたはスペースの長さが、データの記録符号長に対応するように、レーザを駆動するための記録パルスを形成し、
前記記録パルスを、記録パワーＰｗと消去パワーＰｅを含む複数のパワーレベルに対応する複数のパルス高さを有する記録パルス列として形成し、
少なくとも１種類の前記記録符号長に対して、前記記録パルス列をマルチパルスと後端パルスを含む複数のパルスにより構成し、
前記光学的情報記録媒体に、複数種類の線速度で、前記記録パルスに基づくレーザ光を照射し光感応性記録膜の光学的特性を変化させて前記マークまたは前記スペースを形成する光学的情報記録再生方法であって、
前記複数種類の線速度のうちの２種類の線速度ｖ１およびｖ２が、ｖ１＜ｖ２で表される関係にあるとき、下記の式を満足させることを特徴とする光学的情報記録方法。
（ＴＬ１／Ｔｗ１）＜（ＴＬ２／Ｔｗ２）、かつ
（（ＴＭ２／Ｔｗ２）／（ＴＭ１／Ｔｗ１））＜（（ＴＬ２／Ｔｗ２）／（ＴＬ１／Ｔｗ１））
Ｔｗ１、Ｔｗ２：線速度ｖ１、ｖ２における各チャネルクロック周期
ＴＬ１、ＴＬ２：線速度ｖ１、ｖ２における各後端パルス幅
ＴＭ１、ＴＭ２：線速度ｖ１、ｖ２における各マルチパルスの幅
【請求項２】
ＴＬ１＝ＴＭ１とする請求項１に記載の光学的情報記録方法。
【請求項３】
光学的情報記録媒体に形成されるマークまたはスペースの長さが、データの記録符号長に対応するように、レーザを駆動するための記録パルスを形成し、
前記記録パルスを、記録パワーＰｗと消去パワーＰｅを含む複数のパワーレベルに対応する複数のパルス高さを有するように形成し、
少なくとも１種類の前記記録符号長に対して、前記記録パルスの後部のパワーレベルＰｗを、前記記録パルスの中央部のパワーレベルＰｂと異ならせて後端パルスを形成し、
前記光学的情報記録媒体に、複数種類の線速度で、前記記録パルスに基づくレーザ光を照射し光感応性記録膜の光学的特性を変化させて前記マークまたは前記スペースを形成する光学的情報記録再生方法であって、
前記複数種類の線速度のうちの２種類の線速度ｖ１およびｖ２が、ｖ１＜ｖ２で表される関係にあるとき、下記の式を満足させることを特徴とする光学的情報記録方法。
（ＴＬ１／Ｔｗ１）＜（ＴＬ２／Ｔｗ２）、かつ
（α２／α１）＜（（ＴＬ２／Ｔｗ２）／（ＴＬ１／Ｔｗ１））
Ｔｗ１、Ｔｗ２：線速度ｖ１、ｖ２における各チャネルクロック周期
ＴＬ１、ＴＬ２：線速度ｖ１、ｖ２における各後端パルス幅
α１：線速度ｖ１におけるパワーレベル比、α１＝（Ｐｗ−Ｐｂ１）／（Ｐｗ−Ｐｅ）
α２：線速度ｖ２におけるパワーレベル比、α２＝（Ｐｗ−Ｐｂ２）／（Ｐｗ−Ｐｅ）
Ｐｂ１：線速度ｖ１における記録パルスの中央部のパワーレベル
Ｐｂ２：線速度ｖ２における記録パルスの中央部のパワーレベル
【請求項４】
前記線速度ｖ１と、前記線速度ｖ２の間の線速度ｖにおいて、
チャネルクロック周期をＴ、後端パルス幅をＴＬとしたとき、
前記線速度ｖの増大に応じて、（ＴＬ／Ｔ）を増大させるように前記後端パルス幅ＴＬを制御する請求項１または３に記載の光学的情報記録方法。
【請求項５】
光学的情報記録媒体に形成されるマークまたはスペースの長さが、データの記録符号長に対応するように、レーザを駆動するための記録パルスを形成し、
前記記録パルスを、記録パワーＰｗと消去パワーＰｅを含む複数のパワーレベルに各々対応する複数のパルス高さを有する記録パルス列として形成し、
少なくとも１種類の前記記録符号長に対して、前記記録パルス列を前端パルスを含む複数のパルスにより構成し、
前記光学的情報記録媒体に、複数種類の線速度で、前記記録パルスに基づくレーザ光を照射し光感応性記録膜の光学的特性を変化させて前記マークまたは前記スペースを形成する光学的情報記録再生方法であって、
前記複数種類の線速度のうちの２種類の線速度ｖ１およびｖ２が、ｖ１＜ｖ２で表される関係にあるとき、下記の式を満足させることを特徴とする光学的情報記録方法。
（ＴＳ１／Ｔｗ１）＞（ＴＳ２／Ｔｗ２）
Ｔｗ１、Ｔｗ２：線速度ｖ１、ｖ２における各チャネルクロック周期
ＴＳ１、ＴＳ２：線速度ｖ１、ｖ２における各前端パルス幅
【請求項６】
前記記録パルス列は、前記前端パルスに続くマルチパルスを含み、
前記線速度ｖ１、ｖ２における前記マルチパルスの幅を各々ＴＭ１、ＴＭ２としたとき、
（（ＴＭ１／Ｔｗ１）／（ＴＭ２／Ｔｗ２））＜（（ＴＳ１／Ｔｗ１）／（ＴＳ２／Ｔｗ２））
を満足させる請求項５に記載の光学的情報記録方法。
【請求項７】
光学的情報記録媒体に形成されるマークまたはスペースの長さが、データの記録符号長に対応するように、レーザを駆動するための記録パルスを形成し、
前記記録パルスを、記録パワーＰｗと消去パワーＰｅを含む複数のパワーレベルに対応する複数のパルス高さを有するように形成し、
少なくとも１種類の前記記録符号長に対して、前記記録パルスの前部のパワーレベルＰｗを、前記記録パルスの中央部のパワーレベルＰｂと異ならせて前端パルスを形成し、
前記光学的情報記録媒体に、複数種類の線速度で、前記記録パルスに基づくレーザ光を照射し光感応性記録膜の光学的特性を変化させて前記マークまたは前記スペースを形成する光学的情報記録再生方法であって、
前記複数種類の線速度のうちの２種類の線速度ｖ１およびｖ２が、ｖ１＜ｖ２で表される関係にあるとき、下記の式を満足させることを特徴とする光学的情報記録方法。
（ＴＳ１／Ｔｗ１）＞（ＴＳ２／Ｔｗ２）
Ｔｗ１、Ｔｗ２：線速度ｖ１、ｖ２における各チャネルクロック周期
ＴＳ１、ＴＳ２：線速度ｖ１、ｖ２における各前端パルス幅
【請求項８】
下記の式を満足させる請求項７に記載の光学的情報記録方法。
（α２／α１）＜（（ＴＳ１／Ｔｗ２）／（ＴＳ２／Ｔｗ１））
α１：線速度ｖ１におけるパワーレベル比、α１＝（Ｐｗ−Ｐｂ１）／（Ｐｗ−Ｐｅ）
α２：線速度ｖ２におけるパワーレベル比、α２＝（Ｐｗ−Ｐｂ２）／（Ｐｗ−Ｐｅ）
Ｐｂ１：線速度ｖ１における記録パルスの中央部のパワーレベル
Ｐｂ２：線速度ｖ２における記録パルスの中央部のパワーレベル
【請求項９】
前記線速度ｖ１、ｖ２における後端パルス幅を各々ＴＬ１、ＴＬ２としたとき、
（ＴＬ１／Ｔｗ１）＜（ＴＬ２／Ｔｗ２）
を満足させる請求項５〜８のいずれか１項に記載の光学的情報記録方法。
【請求項１０】
前記線速度ｖ１と、前記線速度ｖ２の間の線速度ｖにおいて、
チャネルクロック周期をＴ、前端パルス幅をＴＳとしたとき、
前記線速度ｖの増大に応じて、（ＴＳ／Ｔ）を減少させるように前記前端パルス幅ＴＳを制御する請求項５〜８のいずれか１項に記載の光学的情報記録方法。
【請求項１１】
ＣＡＶ記録方式で光学的情報記録媒体に記録することを特徴とする請求項４または１０に記載の光学的情報記録方法。
【請求項１２】
前記記録パルス間のパワーレベルを前記消去パワーＰｅと異ならせる請求項１、３、５、７のいずれか一項に記載の光学的情報記録方法。
【請求項１３】
線速度ｖ２における前記記録パルス間のパワーレベルを、線速度ｖ１における前記記録パルス間のパワーレベルより高くする請求項１２に記載の光学的情報記録方法。
【請求項１４】
光学的情報記録媒体に記録する際の異なる複数種類の線速度を設定する線速度設定回路と、
前記線速度設定回路の設定結果に応じて記録パルスを発生する記録パルス発生回路と、
前記記録パルスに基づきレーザ光を照射するレーザ駆動回路とを備え、
前記記録パルス発生回路は、前記光学的情報記録媒体に形成されるマークまたはスペースの長さが、記録すべきデータの記録符号長に対応するように前記記録パルスを形成し、
前記記録パルスを、記録パワーＰｗと消去パワーＰｅを含む複数のパワーレベルに各々対応する複数のパルス高さを有する記録パルス列として形成し、
少なくとも１種類の前記記録符号長に対して、前記記録パルス列をマルチパルスと後端パルスを含む複数のパルスにより構成する光学的情報記録装置であって、
前記複数種類の線速度のうちの２種類の線速度ｖ１およびｖ２が、ｖ１＜ｖ２で表される関係にあるとき、前記記録パルス発生回路は、下記の式を満足させるように前記後端パルスの幅を制御することを特徴とする光学的情報記録装置。
（ＴＬ１／Ｔｗ１）＜（ＴＬ２／Ｔｗ２）、かつ
（（ＴＭ２／Ｔｗ２）／（ＴＭ１／Ｔｗ１））＜（（ＴＬ２／Ｔｗ２）／（ＴＬ１／Ｔｗ１））
Ｔｗ１、Ｔｗ２：線速度ｖ１、ｖ２における各チャネルクロック周期
ＴＬ１、ＴＬ２：線速度ｖ１、ｖ２における各後端パルス幅
ＴＭ１、ＴＭ２：線速度ｖ１、ｖ２における各マルチパルスの幅
【請求項１５】
前記記録パルス発生回路は、
ＴＬ１＝ＴＭ１
となるように前記後端パルスの幅を制御する請求項１４に記載の光学的情報記録装置。
【請求項１６】
光学的情報記録媒体に記録する際の異なる複数種類の線速度を設定する線速度設定回路と、
前記線速度設定回路の設定結果に応じて記録パルスを発生する記録パルス発生回路と、
前記記録パルスに基づきレーザ光を照射するレーザ駆動回路とを備え、
前記記録パルス発生回路は、前記光学的情報記録媒体に形成されるマークまたはスペースの長さが、記録すべきデータの記録符号長に対応するように前記記録パルスを形成し、
前記記録パルスを、記録パワーＰｗと消去パワーＰｅを含む複数のパワーレベルに各々対応する複数のパルス高さを有するように形成し、
少なくとも１種類の前記記録符号長に対して、前記記録パルスの後部のパワーレベルＰｗを、前記記録パルスの中央部のパワーレベルＰｂと異ならせて後端パルスを形成する光学的情報記録装置であって、
前記複数種類の線速度のうちの２種類の線速度ｖ１およびｖ２が、ｖ１＜ｖ２で表される関係にあるとき、前記記録パルス発生回路は、下記の式を満足させるように前記後端パルスの幅を制御することを特徴とする光学的情報記録装置。
（ＴＬ１／Ｔｗ１）＜（ＴＬ２／Ｔｗ２）、かつ
（α２／α１）＜（（ＴＬ２／Ｔｗ２）／（ＴＬ１／Ｔｗ１））
Ｔｗ１、Ｔｗ２：線速度ｖ１、ｖ２における各チャネルクロック周期
ＴＬ１、ＴＬ２：線速度ｖ１、ｖ２における各後端パルス幅
α１：線速度ｖ１におけるパワーレベル比、α１＝（Ｐｗ−Ｐｂ１）／（Ｐｗ−Ｐｅ）
α２：線速度ｖ２におけるパワーレベル比、α２＝（Ｐｗ−Ｐｂ２）／（Ｐｗ−Ｐｅ）
Ｐｂ１：線速度ｖ１における記録パルスの中央部のパワーレベル
Ｐｂ２：線速度ｖ２における記録パルスの中央部のパワーレベル
【請求項１７】
前記線速度ｖ１と、前記線速度ｖ２の間の線速度ｖにおいて、
チャネルクロック周期をＴ、後端パルス幅をＴＬとしたとき、
前記記録パルス発生回路は、
線速度ｖの増大に応じて、（ＴＬ／Ｔ）を増大させるように前記後端パルス幅を制御する請求項１４または１６に記載の光学的情報記録装置。
【請求項１８】
光学的情報記録媒体に記録する際の異なる複数種類の線速度を設定する線速度設定回路と、
前記線速度設定回路の設定結果に応じて記録パルスを発生する記録パルス発生回路と、
前記記録パルスに基づきレーザ光を照射するレーザ駆動回路とを備え、
前記記録パルス発生回路は、前記光学的情報記録媒体に形成されるマークまたはスペースの長さが、記録すべきデータの記録符号長に対応するように前記記録パルスを形成し、
前記記録パルスを、記録パワーＰｗと消去パワーＰｅを含む複数のパワーレベルに各々対応する複数のパルス高さを有する記録パルス列として形成し、
少なくとも１種類の前記記録符号長に対して、前記記録パルス列を前端パルスを含む複数のパルスにより構成する光学的情報記録装置であって、
前記複数種類の線速度のうちの２種類の線速度ｖ１およびｖ２が、ｖ１＜ｖ２で表される関係にあるとき、前記記録パルス発生回路は、下記の式を満足させるように前記後端パルスの幅を制御することを特徴とする光学的情報記録装置。
（ＴＳ１／Ｔｗ１）＞（ＴＳ２／Ｔｗ２）
Ｔｗ１、Ｔｗ２：線速度ｖ１、ｖ２における各チャネルクロック周期
ＴＳ１、ＴＳ２：線速度ｖ１、ｖ２における各前端パルス幅
【請求項１９】
前記記録パルス列は、前記前端パルスに続くマルチパルスを含み、
前記線速度ｖ１、ｖ２における前記マルチパルスの幅を各々ＴＭ１、ＴＭ２としたとき、
前記記録パルス発生回路は、
（（ＴＭ１／Ｔｗ１）／（ＴＭ２／Ｔｗ２））＜（（ＴＳ１／Ｔｗ１）／（ＴＳ２／Ｔｗ２））
を満足させるように前記前端パルスの幅を制御する請求項１８に記載の光学的情報記録装置。
【請求項２０】
光学的情報記録媒体に記録する際の異なる複数種類の線速度を設定する線速度設定回路と、
前記線速度設定回路の設定結果に応じて記録パルスを発生する記録パルス発生回路と、
前記記録パルスに基づきレーザ光を照射するレーザ駆動回路とを備え、
前記記録パルス発生回路は、前記光学的情報記録媒体に形成されるマークまたはスペースの長さが記録すべきデータの記録符号長に対応するように前記記録パルスを形成し、
前記記録パルスを、記録パワーＰｗと消去パワーＰｅを含む複数のパワーレベルに各々対応する複数のパルス高さを有するように形成し、
少なくとも１種類の前記記録符号長に対して、前記記録パルスの前部のパワーレベルＰｗを、前記記録パルスの中央部のパワーレベルＰｂと異ならせて前端パルスを形成する光学的情報記録装置であって、
前記複数種類の線速度のうちの２種類の線速度ｖ１およびｖ２が、ｖ１＜ｖ２で表される関係にあるとき、前記記録パルス発生回路は、下記の式を満足させるように前記後端パルスの幅を制御することを特徴とする光学的情報記録装置。
（ＴＳ１／Ｔｗ１）＞（ＴＳ２／Ｔｗ２）
Ｔｗ１、Ｔｗ２：線速度ｖ１、ｖ２における各チャネルクロック周期
ＴＳ１、ＴＳ２：線速度ｖ１、ｖ２における各前端パルス幅
【請求項２１】
前記記録パルス発生回路は、下記の式を満足させるように前記前端パルスの幅を制御する請求項２０に記載の光学的情報記録装置。
（α２／α１）＜（（ＴＳ１／Ｔｗ２）／（ＴＳ２／Ｔｗ１））
α１：線速度ｖ１におけるパワーレベル比、α１＝（Ｐｗ−Ｐｂ１）／（Ｐｗ−Ｐｅ）
α２：線速度ｖ２におけるパワーレベル比、α２＝（Ｐｗ−Ｐｂ２）／（Ｐｗ−Ｐｅ）
Ｐｂ１：線速度ｖ１における記録パルスの中央部のパワーレベル
Ｐｂ２：線速度ｖ２における記録パルスの中央部のパワーレベル
【請求項２２】
前記線速度ｖ１、ｖ２における後端パルス幅を各々ＴＬ１、ＴＬ２としたとき、
前記記録パルス発生回路は、
（ＴＬ１／Ｔｗ１）＜（ＴＬ２／Ｔｗ２）
を満足させるように前記後端パルスの幅を制御する請求項１８〜２１のいずれか１項に記載の光学的情報記録装置。
【請求項２３】
前記線速度ｖ１と、前記線速度ｖ２の間の線速度ｖにおいて、
チャネルクロック周期をＴ、前端パルス幅をＴＳとしたとき、
前記記録パルス発生回路は、
前記線速度ｖの増大に応じて、（ＴＳ／Ｔ）を減少させるように前記前端パルス幅ＴＳを制御する請求項１８〜２１のいずれか１項に記載の光学的情報記録装置。
【請求項２４】
光学的情報記録媒体に形成されるマークまたはスペースの長さが、データの記録符号長に対応するように、レーザを駆動するための記録パルスを形成し、
前記記録パルスを、記録パワーＰｗと消去パワーＰｅを含む複数のパワーレベルに対応する複数のパルス高さを有する記録パルス列として形成し、
少なくとも１種類の前記記録符号長に対して、前記記録パルス列をマルチパルスと後端パルスを含む複数のパルスにより構成し、
前記光学的情報記録媒体に、複数種類の線速度で、前記記録パルスに基づくレーザ光を照射し光感応性記録膜の光学的特性を変化させて前記マークまたは前記スペースを形成し、
前記複数種類の線速度のうちの２種類の線速度ｖ１およびｖ２が、ｖ１＜ｖ２で表される関係にあるとき、下記の式を満足させる光学的情報記録方法によりデータを記録するために用いられ、
前記ＴＬ１および前記ＴＬ２の値を表す情報が記録されていることを特徴とする光学的情報記録媒体。
（ＴＬ１／Ｔｗ１）＜（ＴＬ２／Ｔｗ２）、かつ
（（ＴＭ２／Ｔｗ２）／（ＴＭ１／Ｔｗ１））＜（（ＴＬ２／Ｔｗ２）／（ＴＬ１／Ｔｗ１））
Ｔｗ１、Ｔｗ２：線速度ｖ１、ｖ２における各チャネルクロック周期
ＴＬ１、ＴＬ２：線速度ｖ１、ｖ２における各後端パルス幅
ＴＭ１、ＴＭ２：線速度ｖ１、ｖ２における各マルチパルスの幅
【請求項２５】
光学的情報記録媒体に形成されるマークまたはスペースの長さが、データの記録符号長に対応するように、レーザを駆動するための記録パルスを形成し、
前記記録パルスを、記録パワーＰｗと消去パワーＰｅを含む複数のパワーレベルに対応する複数のパルス高さを有するように形成し、
少なくとも１種類の前記記録符号長に対して、前記記録パルスの後部のパワーレベルＰｗを、前記記録パルスの中央部のパワーレベルＰｂと異ならせて後端パルスを形成し、
前記光学的情報記録媒体に、複数種類の線速度で、前記記録パルスに基づくレーザ光を照射し光感応性記録膜の光学的特性を変化させて前記マークまたは前記スペースを形成し、
前記複数種類の線速度のうちの２種類の線速度ｖ１およびｖ２が、ｖ１＜ｖ２で表される関係にあるとき、下記の式を満足させる光学的情報記録方法によりデータを記録するために用いられ、
前記ＴＬ１および前記ＴＬ２の値を表す情報が記録されていることを特徴とする光学的情報記録媒体。
（ＴＬ１／Ｔｗ１）＜（ＴＬ２／Ｔｗ２）、かつ
（α２／α１）＜（（ＴＬ２／Ｔｗ２）／（ＴＬ１／Ｔｗ１））
Ｔｗ１、Ｔｗ２：線速度ｖ１、ｖ２における各チャネルクロック周期
ＴＬ１、ＴＬ２：線速度ｖ１、ｖ２における各後端パルス幅
α１：線速度ｖ１におけるパワーレベル比、α１＝（Ｐｗ−Ｐｂ１）／（Ｐｗ−Ｐｅ）
α２：線速度ｖ２におけるパワーレベル比、α２＝（Ｐｗ−Ｐｂ２）／（Ｐｗ−Ｐｅ）
Ｐｂ１：線速度ｖ１における記録パルスの中央部のパワーレベル
Ｐｂ２：線速度ｖ２における記録パルスの中央部のパワーレベル
【請求項２６】
さらに、前記線速度ｖ１と、前記線速度ｖ２の間の線速度ｖにおいて、
チャネルクロック周期をＴ、後端パルス幅をＴＬとしたとき、
前記線速度ｖの増大に応じて、（ＴＬ／Ｔ）を増大させるように前記後端パルス幅ＴＬを制御する光学的情報記録方法によりデータを記録するために用いられ、
前記ＴＬを決定する情報が記録されている請求項２４または２５に記載の光学的情報記録媒体。
【請求項２７】
光学的情報記録媒体に形成されるマークまたはスペースの長さが、データの記録符号長に対応するように、レーザを駆動するための記録パルスを形成し、
前記記録パルスを、記録パワーＰｗと消去パワーＰｅを含む複数のパワーレベルに各々対応する複数のパルス高さを有する記録パルス列として形成し、
少なくとも１種類の前記記録符号長に対して、前記記録パルス列を前端パルスを含む複数のパルスにより構成し、
前記光学的情報記録媒体に、複数種類の線速度で、前記記録パルスに基づくレーザ光を照射し光感応性記録膜の光学的特性を変化させて前記マークまたは前記スペースを形成し、
前記複数種類の線速度のうちの２種類の線速度ｖ１およびｖ２が、ｖ１＜ｖ２で表される関係にあるとき、下記の式を満足させる光学的情報記録方法によりデータを記録するために用いられ、
前記ＴＳ１および前記ＴＳ２の値を表す情報が記録されていることを特徴とする光学的情報記録媒体。
（ＴＳ１／Ｔｗ１）＞（ＴＳ２／Ｔｗ２）
Ｔｗ１、Ｔｗ２：線速度ｖ１、ｖ２における各チャネルクロック周期
ＴＳ１、ＴＳ２：線速度ｖ１、ｖ２における各前端パルス幅
【請求項２８】
光学的情報記録媒体に形成されるマークまたはスペースの長さが、データの記録符号長に対応するように、レーザを駆動するための記録パルスを形成し、
前記記録パルスを、記録パワーＰｗと消去パワーＰｅを含む複数のパワーレベルに対応する複数のパルス高さを有するように形成し、
少なくとも１種類の前記記録符号長に対して、前記記録パルスの前部のパワーレベルＰｗを、前記記録パルスの中央部のパワーレベルＰｂと異ならせて前端パルスを形成し、
前記光学的情報記録媒体に、複数種類の線速度で、前記記録パルスに基づくレーザ光を照射し光感応性記録膜の光学的特性を変化させて前記マークまたは前記スペースを形成し、
前記複数種類の線速度のうちの２種類の線速度ｖ１およびｖ２が、ｖ１＜ｖ２で表される関係にあるとき、下記の式を満足させる光学的情報記録方法によりデータを記録するために用いられ、
前記ＴＳ１および前記ＴＳ２の値を表す情報が記録されていることを特徴とする光学的情報記録媒体。
（ＴＳ１／Ｔｗ１）＞（ＴＳ２／Ｔｗ２）
Ｔｗ１、Ｔｗ２：線速度ｖ１、ｖ２における各チャネルクロック周期
ＴＳ１、ＴＳ２：線速度ｖ１、ｖ２における各前端パルス幅
【請求項２９】
さらに、前記線速度ｖ１、ｖ２における後端パルス幅を各々ＴＬ１、ＴＬ２としたとき、
（ＴＬ１／Ｔｗ１）＜（ＴＬ２／Ｔｗ２）
を満足する光学的情報記録方法によりデータを記録するために用いられ、
前記ＴＬ１および前記ＴＬ２の値を表す情報が記録されている請求項２７または２８に記載の光学的情報記録媒体。
【請求項３０】
さらに前記線速度ｖ１と、前記線速度ｖ２の間の線速度ｖにおいて、
チャネルクロック周期をＴ、前端パルス幅をＴＳとしたとき、
前記線速度ｖの増大に応じて、（ＴＳ／Ｔ）を減少させるように前記前端パルス幅ＴＳを制御する光学的情報記録方法によりデータを記録するために用いられ、
前記ＴＳを決定する情報が記録されている請求項２７または２８に記載の光学的情報記録媒体。
【発明の詳細な説明】
【技術分野】
【０００１】
本発明は、光学的にデータを記録・再生するための記録媒体に対する光学的情報記録方法、および光学的情報記録装置に関する。特に、複数の異なる線速度で記録する媒体に対する記録パルス波形の改良に関する。
【背景技術】
【０００２】
近年、光学的にデータを記録する媒体として、光ディスク、光カード、光テープなどが提案・開発されている。その中でも光ディスクは、大容量かつ高密度にデータを記録・再生できる媒体として注目されている。
【０００３】
例えば相変化型光ディスクの場合、光ヘッドにより集束させたレーザ光により、以下に述べるようにしてデータの記録再生が行われる。記録に際しては、再生パワーより強いレーザ光（このパワーレベルを記録パワーといい、Ｐｗで表す）を、光ディスクの記録膜に照射する。それにより、記録膜の温度が融点を越えて上昇すると、レーザ光の通過とともに溶融部分は急速に冷却されて非晶質（アモルファス）状態のマークが形成される。また、記録膜の温度を結晶化温度以上、融点以下の温度まで上昇させる程度のレーザ光（このパワーレベルを消去パワーといい、Ｐｅで表す）を照射すると、照射部の記録膜は結晶状態になる。
【０００４】
このようにして、媒体にはデータ信号に対応した非晶質領域であるマークと、結晶領域であるスペースとからなる記録パターンが形成される。そして結晶と非晶質との反射率の相違を利用して、データの再生が行われる。
【０００５】
上述のとおり、媒体にマークを形成するためには、レーザ光のパワーレベルを少なくとも消去パワーと記録パワーとの間で変調して発光させることが必要である。この変調動作に用いるパルス波形を記録パルスと呼ぶ。１つのマークを複数の記録パルスで形成する記録方法もすでに多数知られている。この複数の記録パルスを記録パルス列と呼ぶ。
【０００６】
記録パルス列の例を図１４（ａ）に示す。記録パルス列の先頭部にあるパルスを前端パルス１４０１、最後部にあるパルスを後端パルス１４０３、前端パルスと後端パルスとの間にあるパルスをマルチパルス１４０２と呼ぶ。記録パルス列を構成する記録パルスの数は、記録符号長（すなわち、チャネルクロック周期Ｔｗに対する記録符号の長さ）によって変化し、最短符号長では記録パルスの数が１個になる場合もある。
【０００７】
また、記録パルス列の代わりに、図１４（ｂ）に示すように先頭部と最後部のパルスレベルを変化させた単一の記録パルスでマークを形成する方法も知られている。この先頭部のパルス１４０４と最後部のパルス１４０５もそれぞれ、前端パルス、後端パルスと呼ぶことにする。
【０００８】
現在、ＤＶＤなどの光学的情報記録媒体では、主としてＣＬＶ（等線速度）記録が用いられている。これは、媒体全面にわたって線速度・転送レート・線密度をほぼ同じにして記録する方式である。この場合、媒体の回転速度は、媒体中の記録再生位置（すなわち半径位置）によって変化する。
【０００９】
これに対して、媒体の回転速度と線密度を媒体全面にわたってほぼ一定とする、ＣＡＶ（等角速度）記録方式も知られている。ＣＡＶ記録方式では、媒体を回転させるスピンドルモータの回転変速制御が不要なため、スピンドルモータおよびその制御回路を低コストで作製できる利点がある。また、記録再生位置のシーク動作後、所定の回転速度になるまで記録再生動作を待つ必要がないので、媒体に対するアクセス速度を短くすることが可能である。
【００１０】
一方、この方式では、媒体中の記録再生位置によって線速度と転送レートが変化する。したがって、記録再生位置によって、媒体におけるレーザ光の照射条件や加熱・冷却条件が変化することになる。
【００１１】
複数の異なる線速度で媒体に記録する場合に、記録パルス波形を調整することで信号品質を良くする記録方式として、様々な方法が知られている。その一例として、特許文献１には、記録パルス列でマークを形成し、記録線速度の増大に応じてマルチパルスおよび後端パルスのデューティ比を高くする（すなわち、チャネルクロック周期に対するパルス幅の比を高くする）方法が開示されている。また、例えば特許文献２には、記録線速度の増大に応じて、前端パルスおよびマルチパルスのデューティ比を高くする方法が開示されている。また、例えば特許文献３には、記録パルス列でマークを形成し、記録線速度の増大に応じて前端パルスのデューティ比を高くする方法が開示されている。
【特許文献１】特開２００１−２２２８１９号公報、第３−５頁、第２図
【特許文献２】特開２００１−７６３４１号公報、第５頁、第２図
【特許文献３】特開２００１−１１８２４５号公報、第５−７頁、第１図
【発明の開示】
【発明が解決しようとする課題】
【００１２】
しかしながら、上記従来の記録再生方法では、変化させる線速度の範囲が広い場合に、データを信号品質良くかつ安定に記録できないという課題を有していた。以下、その課題について説明する。
【００１３】
記録パルス列を用いて高線速度かつ高転送レートで記録する場合には、記録パルス列を生成する基準となる、チャネルクロック周期を短くする必要がある。しかし、レーザの変調・発光動作には一定の立ち上がり時間と立ち下がり時間が存在する。
【００１４】
そのため、線速度の増大にしたがってマルチパルスおよび後端パルスのデューティ比を高くする方法では、高線速度の場合に、図１５の波形図に示すような不具合が生じる。すなわち、高線速度における記録では、（ａ）のチャネルクロック信号の周期Ｔｗが小さくなる。このチャネルクロック信号に基づき、（ｂ）の変調信号に対応させた（ｃ）の記録パルス信号に対して、（ｄ）のようにマルチパルス１５０２と後端パルス１５０３のデューティ比を変化させる。そうすると、各パルス間の幅がレーザの立ち上がり時間と立ち下がり時間との和よりも短くなる場合が生じる。その結果、（ｅ）に示すように、発光パルスを、所定の記録パワーＰｗと所定の消去パワーＰｅとの間で変調することができなくなる。
【００１５】
また、マルチパルスに基づくレーザ光を照射するときには、その前にも後ろにも記録パルスが存在することになる。そのため、前端パルスや後端パルスの記録時と比較すると、マルチパルスの記録時は熱エネルギーが集中し易い。その結果、仮に高性能のレーザを用いて記録パワーＰｗと消去パワーＰｅの間で変調ができる場合でも、マルチパルスのデューティ比を高くすると、マルチパルスの照射部位に対応するマーク中央部が前後部に比べて太くなり、マーク形状が歪む現象が発生する。
【００１６】
この問題を回避するために、高線速度においてマルチパルスおよび後端パルスのデューティ比が高くなりすぎないように制限すると、別の問題が生じた。すなわち、高線速度の記録では、レーザスポットと媒体との相対速度が速くなる。この場合、後端パルスのデューティ比が小さいと、高線速度の記録では、マークの後端部を形成するとき（すなわち、レーザのパワーレベルが記録パワーから消去パワーに遷移するとき）に、レーザ照射による溶融後の冷却速度が過剰に速くなる。その結果、マーク後部のアモルファスが安定に形成されすぎて、このマークに対してオーバーライトしたときに消し残りが発生し、再生信号の品質が低下するという現象を招く。
【００１７】
一方、記録線速度の増大に応じて前端パルスのデューティ比を高くすると、最低線速度で記録するときに最も前端パルスのデューティ比が最も小さくなり、パルス列全体の長さが最短になる。しかし低線速度の記録ではレーザスポットと媒体との相対速度が遅くなるので、レーザ照射による溶融後の冷却速度が遅くなる。その結果、溶融部周辺から再結晶化が進行して、マーク前部の幅が小さくなり、マーク形状が歪んで再生信号の品質が低下する問題があった。
【００１８】
本発明は、同一の媒体に対し広い線速度範囲に渡って安定かつ良好な信号品質でデータを記録再生できる光学的情報記録方法、光学的情報記録装置および光学的情報記録媒体を提供することを目的とする。
【課題を解決するための手段】
【００１９】
前記目的を達成するため、本発明の第１の光学的情報記録方法は、光学的情報記録媒体に形成されるマークまたはスペースの長さが、データの記録符号長に対応するように、レーザを駆動するための記録パルスを形成し、前記記録パルスを、記録パワーＰｗと消去パワーＰｅを含む複数のパワーレベルに対応する複数のパルス高さを有する記録パルス列として形成し、少なくとも１種類の前記記録符号長に対して、前記記録パルス列をマルチパルスと後端パルスを含む複数のパルスにより構成し、前記光学的情報記録媒体に、複数種類の線速度で、前記記録パルスに基づくレーザ光を照射し光感応性記録膜の光学的特性を変化させて前記マークまたは前記スペースを形成する。前記複数種類の線速度のうちの２種類の線速度ｖ１およびｖ２が、ｖ１＜ｖ２で表される関係にあるとき、下記の式を満足させる。
【００２０】
（ＴＬ１／Ｔｗ１）＜（ＴＬ２／Ｔｗ２）、かつ
（（ＴＭ２／Ｔｗ２）／（ＴＭ１／Ｔｗ１））＜（（ＴＬ２／Ｔｗ２）／（ＴＬ１／Ｔｗ１））
Ｔｗ１、Ｔｗ２：線速度ｖ１、ｖ２における各チャネルクロック周期
ＴＬ１、ＴＬ２：線速度ｖ１、ｖ２における各後端パルス幅
ＴＭ１、ＴＭ２：線速度ｖ１、ｖ２における各マルチパルスの幅
この方法によれば、低線速度では歪みのないマークを形成することができるとともに、高線速度ではオーバーライト時の消し残りをなくすことができるので、広い線速度範囲にわたって信号品質良くデータを記録することが可能となる。
【００２１】
第１の光学的情報記録方法において、ＴＬ１＝ＴＭ１とすることが好ましい。それにより、線速度ｖ１では後端パルスのみを独立に生成および補正する必要がなくなるので、装置の構成を簡略化することが可能となる。
【００２２】
第１の光学的情報記録方法において、マルチパルスを形成する代わりに、前記記録パルスの後部のパワーレベルＰｗを、前記記録パルスの中央部のパワーレベルＰｂと異ならせて後端パルスを形成して、記録パルスとすることもできる。その場合、上記条件式に代えて、以下の式を満足させる。
【００２３】
（ＴＬ１／Ｔｗ１）＜（ＴＬ２／Ｔｗ２）、かつ
（α２／α１）＜（（ＴＬ２／Ｔｗ２）／（ＴＬ１／Ｔｗ１））
α１：線速度ｖ１におけるパワーレベル比、α１＝（Ｐｗ−Ｐｂ１）／（Ｐｗ−Ｐｅ）
α２：線速度ｖ２におけるパワーレベル比、α２＝（Ｐｗ−Ｐｂ２）／（Ｐｗ−Ｐｅ）
Ｐｂ１：線速度ｖ１における記録パルスの中央部のパワーレベル
Ｐｂ２：線速度ｖ２における記録パルスの中央部のパワーレベル
また第１の光学的情報記録方法については、前記線速度ｖ１と、前記線速度ｖ２の間の線速度ｖにおいて、チャネルクロック周期をＴ、後端パルス幅をＴＬとしたとき、前記線速度ｖの増大に応じて、（ＴＬ／Ｔ）を増大させるように前記後端パルス幅ＴＬを制御しても良い。それにより、中間の線速度での発光波形を容易に決定することができる。
【００２４】
前記目的を達成するため、本発明の第２の光学的情報記録方法は、光学的情報記録媒体に形成されるマークまたはスペースの長さが、データの記録符号長に対応するように、レーザを駆動するための記録パルスを形成し、前記記録パルスを、記録パワーＰｗと消去パワーＰｅを含む複数のパワーレベルに各々対応する複数のパルス高さを有する記録パルス列として形成し、少なくとも１種類の前記記録符号長に対して、前記記録パルス列を前端パルスを含む複数のパルスにより構成し、前記光学的情報記録媒体に、複数種類の線速度で、前記記録パルスに基づくレーザ光を照射し光感応性記録膜の光学的特性を変化させて前記マークまたは前記スペースを形成する。前記複数種類の線速度のうちの２種類の線速度ｖ１およびｖ２が、ｖ１＜ｖ２で表される関係にあるとき、下記の式を満足させる。
【００２５】
（ＴＳ１／Ｔｗ１）＞（ＴＳ２／Ｔｗ２）
Ｔｗ１、Ｔｗ２：線速度ｖ１、ｖ２における各チャネルクロック周期
ＴＳ１、ＴＳ２：線速度ｖ１、ｖ２における各前端パルス幅
この方法によれば、低線速度においても歪みのないマークを形成することができるので、広い線速度範囲にわたって信号品質良くデータを記録することが可能となる。
【００２６】
第２の光学的情報記録方法において好ましくは、前記記録パルス列は、前記前端パルスに続くマルチパルスを含み、前記線速度ｖ１、ｖ２における前記マルチパルスの幅を各々ＴＭ１、ＴＭ２としたとき、（（ＴＭ１／Ｔｗ１）／（ＴＭ２／Ｔｗ２））＜（（ＴＳ１／Ｔｗ１）／（ＴＳ２／Ｔｗ２））を満足させる。
【００２７】
また第２の光学的情報記録方法において、マルチパルスを形成する代わりに、前記記録パルスの前部のパワーレベルＰｗを、前記記録パルスの中央部のパワーレベルＰｂと異ならせて前端パルスを形成して、記録パルスとすることもできる。
【００２８】
その場合好ましくは、上記の条件式に代えて、以下の条件式を満足させる。
【００２９】
（α２／α１）＜（（ＴＳ１／Ｔｗ２）／（ＴＳ２／Ｔｗ１））
α１：線速度ｖ１におけるパワーレベル比、α１＝（Ｐｗ−Ｐｂ１）／（Ｐｗ−Ｐｅ）
α２：線速度ｖ２におけるパワーレベル比、α２＝（Ｐｗ−Ｐｂ２）／（Ｐｗ−Ｐｅ）
Ｐｂ１：線速度ｖ１における記録パルスの中央部のパワーレベル
Ｐｂ２：線速度ｖ２における記録パルスの中央部のパワーレベル
それにより、広い線速度範囲にわたって信号品質良くデータを記録することが可能となる。
【００３０】
また第２の光学的情報記録方法において、前記線速度ｖ１、ｖ２における後端パルス幅を各々ＴＬ１、ＴＬ２としたとき、（ＴＬ１／Ｔｗ１）＜（ＴＬ２／Ｔｗ２）を満足させることが好ましい。この方法によれば、広い線速度範囲に対してさらに信号品質良くデータを記録できる。
【００３１】
また、第２の光学的情報記録方法については、前記線速度ｖ１と、前記線速度ｖ２の間の線速度ｖにおいて、チャネルクロック周期をＴ、前端パルス幅をＴＳとしたとき、前記線速度ｖの増大に応じて、（ＴＳ／Ｔ）を減少させるように前記前端パルス幅ＴＳを制御することができる。それにより、中間の線速度での発光波形を容易に決定することができる。
【００３２】
また、第１または第２の光学的情報記録方法については、ＣＡＶ記録方式で光学的情報記録媒体に記録することが好ましい。それにより、媒体中の記録再生位置がどの場所であっても、信号品質良くデータを記録することが可能になる。
【００３３】
また、第１または第２の光学的情報記録方法については、前記記録パルス間のパワーレベルを前記消去パワーＰｅと異ならせることが好ましい。それにより、線速度に応じて記録時の冷却速度を最適に制御できるため、さらに信号品質良くデータを記録することが可能になる。
【００３４】
その場合、線速度ｖ２における前記記録パルス間のパワーレベルを、線速度ｖ１における前記記録パルス間のパワーレベルより高くすることがさらに好ましい。それにより、高線速度での記録時に冷却速度が過剰にならないため、オーバーライト時の消し残りが少なくなって、さらに信号品質良くデータを記録することが可能になる。
【００３５】
また、前記目的を達成するため、本発明の第１の光学的情報記録装置は、光学的情報記録媒体に記録する際の異なる複数種類の線速度を設定する線速度設定回路と、前記線速度設定回路の設定結果に応じて記録パルスを発生する記録パルス発生回路と、前記記録パルスに基づきレーザ光を照射するレーザ駆動回路とを備える。前記記録パルス発生回路は、前記光学的情報記録媒体に形成されるマークまたはスペースの長さが、記録すべきデータの記録符号長に対応するように前記記録パルスを形成し、前記記録パルスを、記録パワーＰｗと消去パワーＰｅを含む複数のパワーレベルに各々対応する複数のパルス高さを有する記録パルス列として形成し、少なくとも１種類の前記記録符号長に対して、前記記録パルス列をマルチパルスと後端パルスを含む複数のパルスにより構成する。前記複数種類の線速度のうちの２種類の線速度ｖ１およびｖ２が、ｖ１＜ｖ２で表される関係にあるとき、前記記録パルス発生回路は、下記の式を満足させるように前記後端パルスの幅を制御する。
【００３６】
（ＴＬ１／Ｔｗ１）＜（ＴＬ２／Ｔｗ２）、かつ
（（ＴＭ２／Ｔｗ２）／（ＴＭ１／Ｔｗ１））＜（（ＴＬ２／Ｔｗ２）／（ＴＬ１／Ｔｗ１））
Ｔｗ１、Ｔｗ２：線速度ｖ１、ｖ２における各チャネルクロック周期
ＴＬ１、ＴＬ２：線速度ｖ１、ｖ２における各後端パルス幅
ＴＭ１、ＴＭ２：線速度ｖ１、ｖ２における各マルチパルスの幅
この装置によれば、低線速度では歪みのないマークを形成することができるとともに、高線速度ではオーバーライト時の消し残りをなくすことができるので、広い線速度範囲にわたって信号品質良くデータを記録することが可能となる。
【００３７】
第１の光学的情報記録装置において、前記記録パルス発生回路は、ＴＬ１＝ＴＭ１となるように前記後端パルスの幅を制御することが好ましい。それにより、線速度ｖ１では後端パルスのみを独立に生成および補正する必要がなくなるので、装置の構成を簡略化することが可能となる。
【００３８】
また、第１の光学的情報記録装置において、マルチパルスを形成する代わりに、前記記録パルスの後部のパワーレベルＰｗを、前記記録パルスの中央部のパワーレベルＰｂと異ならせて後端パルスを形成して、記録パルスとすることもできる。その場合、前記記録パルス発生回路は、上記条件式に代えて、下記の式を満足させるように前記後端パルスの幅を制御する。
【００３９】
（ＴＬ１／Ｔｗ１）＜（ＴＬ２／Ｔｗ２）、かつ
（α２／α１）＜（（ＴＬ２／Ｔｗ２）／（ＴＬ１／Ｔｗ１））
α１：線速度ｖ１におけるパワーレベル比、α１＝（Ｐｗ−Ｐｂ１）／（Ｐｗ−Ｐｅ）
α２：線速度ｖ２におけるパワーレベル比、α２＝（Ｐｗ−Ｐｂ２）／（Ｐｗ−Ｐｅ）
Ｐｂ１：線速度ｖ１における記録パルスの中央部のパワーレベル
Ｐｂ２：線速度ｖ２における記録パルスの中央部のパワーレベル
また、第１の光学的情報記録装置については、前記第１の線速度ｖ１と、前記第２の線速度ｖ２の間の線速度ｖにおいて、チャネルクロック周期をＴ、後端パルス幅をＴＬとしたとき、前記記録パルス発生回路は、線速度ｖの増大に応じて、（ＴＬ／Ｔ）を増大させるように前記後端パルス幅を制御する構成とすることができる。それにより、中間の線速度での発光波形を容易に決定することができる。
【００４０】
また、前記目的を達成するため、本発明の第２の光学的情報記録装置は、光学的情報記録媒体に記録する際の異なる複数種類の線速度を設定する線速度設定回路と、前記線速度設定回路の設定結果に応じて記録パルスを発生する記録パルス発生回路と、前記記録パルスに基づきレーザ光を照射するレーザ駆動回路とを備える。前記記録パルス発生回路は、前記光学的情報記録媒体に形成されるマークまたはスペースの長さが、記録すべきデータの記録符号長に対応するように前記記録パルスを形成し、前記記録パルスを、記録パワーＰｗと消去パワーＰｅを含む複数のパワーレベルに各々対応する複数のパルス高さを有する記録パルス列として形成し、少なくとも１種類の前記記録符号長に対して、前記記録パルス列を前端パルスを含む複数のパルスにより構成する。前記複数種類の線速度のうちの２種類の線速度ｖ１およびｖ２が、ｖ１＜ｖ２で表される関係にあるとき、前記記録パルス発生回路は、下記の式を満足させるように前記後端パルスの幅を制御する。
【００４１】
（ＴＳ１／Ｔｗ１）＞（ＴＳ２／Ｔｗ２）
Ｔｗ１、Ｔｗ２：線速度ｖ１、ｖ２における各チャネルクロック周期
ＴＳ１、ＴＳ２：線速度ｖ１、ｖ２における各前端パルス幅
この装置によれば、低線速度では歪みのないマークを形成することができるので、広い線速度範囲にわたって信号品質良くデータを記録することが可能となる。
【００４２】
第２の光学的情報記録装置において、前記記録パルス列は、前記前端パルスに続くマルチパルスを含み、前記線速度ｖ１、ｖ２における前記マルチパルスの幅を各々ＴＭ１、ＴＭ２としたとき、前記記録パルス発生回路は、（（ＴＭ１／Ｔｗ１）／（ＴＭ２／Ｔｗ２））＜（（ＴＳ１／Ｔｗ１）／（ＴＳ２／Ｔｗ２））を満足させるように前記前端パルスの幅を制御することが好ましい。
【００４３】
また第２の光学的情報記録装置において、マルチパルスを形成する代わりに、前記記録パルスの前部のパワーレベルＰｗを、前記記録パルスの中央部のパワーレベルＰｂと異ならせて前端パルスを形成して、記録パルスとすることもできる。
【００４４】
その場合好ましくは、前記記録パルス発生回路は、上記の条件式に代えて、以下の条件式を満足させるように前記前端パルスの幅を制御する。
【００４５】
（α２／α１）＜（（ＴＳ１／Ｔｗ２）／（ＴＳ２／Ｔｗ１））
α１：線速度ｖ１におけるパワーレベル比、α１＝（Ｐｗ−Ｐｂ１）／（Ｐｗ−Ｐｅ）
α２：線速度ｖ２におけるパワーレベル比、α２＝（Ｐｗ−Ｐｂ２）／（Ｐｗ−Ｐｅ）
Ｐｂ１：線速度ｖ１における記録パルスの中央部のパワーレベル
Ｐｂ２：線速度ｖ２における記録パルスの中央部のパワーレベル
それにより、広い線速度範囲にわたって信号品質良くデータを記録することが可能となる。
【００４６】
また、第２の光学的情報記録装置において、前記線速度ｖ１、ｖ２における後端パルス幅を各々ＴＬ１、ＴＬ２としたとき、前記記録パルス発生回路は、（ＴＬ１／Ｔｗ１）＜（ＴＬ２／Ｔｗ２）を満足させるように前記後端パルスの幅を制御することが好ましい。
【００４７】
また、第２の光学的情報記録装置については、前記線速度ｖ１と、前記線速度ｖ２の間の線速度ｖにおいて、チャネルクロック周期をＴ、前端パルス幅をＴＳとしたとき、前記記録パルス発生回路は、前記線速度ｖの増大に応じて、（ＴＳ／Ｔ）を減少させるように前記前端パルス幅ＴＳを制御する制御する構成とすることができる。それにより、中間の線速度での発光波形を容易に決定することができる。
【００４８】
また、前記目的を達成するため、本発明の光学的情報記録媒体は、上記第１の光学的情報記録方法、または第２の光学的情報記録方法で記録するために用いられ、前記ＴＬ１および前記ＴＬ２の値を表す情報、または前記ＴＳ１および前記ＴＳ２の値を表す情報が記録されていることを特徴とする。
【００４９】
さらに、前記線速度ｖ１と、前記線速度ｖ２の間の線速度ｖにおいて、チャネルクロック周期をＴ、後端パルス幅をＴＬとしたとき、前記線速度ｖの増大に応じて、（ＴＬ／Ｔ）を増大させるように前記後端パルス幅ＴＬを制御する光学的情報記録方法によりデータを記録するために用いられ、前記ＴＬを決定する情報が記録されている構成とすることができる。
【００５０】
あるいは、さらに前記線速度ｖ１と、前記線速度ｖ２の間の線速度ｖにおいて、チャネルクロック周期をＴ、前端パルス幅をＴＳとしたとき、前記線速度ｖの増大に応じて、（ＴＳ／Ｔ）を減少させるように前記前端パルス幅ＴＳを制御する光学的情報記録方法によりデータを記録するために用いられ、前記ＴＳを決定する情報が記録されている構成とすることができる。
【００５１】
以上の構成の光学的情報記録媒体によれば、媒体を光学的情報記録装置に装着後、すぐに線速度に応じたパルス幅を決定することができる。
【発明の効果】
【００５２】
本発明の光学的情報記録方法によれば、低線速度では歪みのないマークを形成することができるとともに、高線速度ではオーバーライト時の消し残りをなくすことができるので、広い線速度範囲にわたって信号品質良くデータを記録することが可能となる。
【発明を実施するための最良の形態】
【００５３】
以下、本発明の実施の形態について、図面を参照して具体的に説明する。
【００５４】
（実施の形態１）
まず、実施の形態１における光学的情報記録装置の概略構成について、図１のブロック図を参照して説明する。なお、図１は光学的情報記録再生装置を示すが、本発明の実施の形態は、この装置における記録装置の部分の構成に特徴を有する。また、図１に示す光学的情報記録装置の基本的な構成は、以降の各実施の形態に共通である。
【００５５】
１はデータを記録再生する光ディスクであり、２は記録再生装置全体を制御するシステム制御回路である。システム制御回路２から供給される信号に基づき、変調回路３は、記録するデータに応じて２値化された変調信号１２を発生させる。記録パルス生成回路４では、変調回路３から出力される変調信号１２に応じて、レーザを駆動する記録パルス信号１３を発生させる。各記録パルス信号は、記録パルス補正回路５により、その幅やエッジの位置を補正された記録パルス信号１４として出力される。
【００５６】
レーザ駆動回路６は、記録パルス補正回路５が出力する記録パルス信号１４、およびシステム制御回路２から供給されるパワー設定信号１６に基づき、光ヘッド７内のレーザを駆動させる電流を変調する。光ヘッド７は、レーザ光１５を集束して光ディスク１に照射する。光ディスク１は、線速度設定回路８により線速度（すなわち、回転数）を制御される。９は光ディスク１を回転させるスピンドルモーターである。光ディスク１からの反射光に基づく再生信号は、再生信号処理回路１０により波形処理され、再生データを得るための復調回路１１に供給される。
【００５７】
次に、図２のフローチャート、および図３〜図６の動作図を参照して、実施の形態１における光学的情報記録方法および光学的情報記録装置の特徴について説明する。
【００５８】
図２は、本実施の形態の光学的情報記録方法による記録手順を示す。図３は、同方法により線速度を低くして記録する場合の信号波形およびトラック上の記録パターンを示す。図４および図５は、線速度を低くして記録する場合に、後端パルスの幅を変化させたときの信号波形および記録パターンを示す。図６は、線速度を高くして記録する場合の信号波形および記録パターンを示す。
【００５９】
図３〜図６には、符号長５Ｔのマークを記録する場合を例として動作を示す。Ｔはチャネルクロック周期Ｔｗと等しい。この実施の形態では、５Ｔを記録するために合計３つの記録パルスからなる記録パルス列を用いる。５Ｔ以外の符号長を記録するときには、符号長の増減に応じて、記録パルスの個数および／または記録パルス列の全長を変化させる。
【００６０】
図３および図６の各図において、（ａ）はチャネルクロック信号、（ｂ）は変調信号１２（図１参照）の波形、（ｃ）は記録パルス信号１３の波形、（ｄ）は補正した記録パルス信号１４の波形、（ｅ）はレーザ光１５の発光波形を示す。記録パルス信号１３はそれぞれ、前端パルス３０１、６０１、マルチパルス３０２、６０２、および後端パルス３０３、６０３からなる記録パルス列により構成される。（ｆ）は、レーザ光１５によりマーク３０５あるいは６０４が記録されたトラック３０４上の記録パターンを示す。図４および図５において、（ａ）はレーザ光１５の発光波形、（ｂ）は、マーク４０１あるいは５０１が記録されたトラック３０４上の記録パターンを示す。
【００６１】
まず、本実施の形態で低線速度ｖ１で記録する（すなわち、低い転送レートで記録する）場合の、特にデータを記録する動作について、図２のフローチャートに従って説明する。
【００６２】
記録時には、まず、線速度設定工程（ステップＳ２０１、以下「ステップ」の語を省略する）により、システム制御回路２の命令に基づいて線速度設定回路８がスピンドルモーター９の回転数を制御し、光ディスク１を所定の線速度で回転させる。次にシーク動作工程（Ｓ２０２）により、光ヘッド７（図１参照）が光ディスク１上の所定の記録領域に位置させる。
【００６３】
次にパワー決定工程（Ｓ２０３）により、システム制御回路２が、この線速度で最適な記録パワー・消去パワー等を決定して、レーザ駆動回路６にパワー設定信号１６を出力する。これらのパワーレベルは、光ディスク１に対してテスト記録することで決定することができる。また、光ディスク１のコントロールトラック領域上に、パワーレベルを表す情報が記録されているのであれば、この情報を読み出すことにより決定してもよい。
【００６４】
次に変調工程（Ｓ２０４）により、システム制御回路２からの記録データが、図３（ａ）に示すチャネルクロック信号に基づき、変調回路３により変調される。変調回路３は、図３（ｂ）に示す変調信号１２を出力する。
【００６５】
次に記録パルス信号発生工程（Ｓ２０５）により、記録パルス生成回路４は変調信号に基づき、図３（ｃ）に示す記録パルス信号１３を出力する。
【００６６】
次に後端パルス幅補正工程（Ｓ２０６）により、記録パルス補正回路５が、記録パルス信号１３を構成する各記録パルスの幅やエッジ位置を補正して、レーザ駆動回路６に対し補正された記録パルス信号１４を出力する。但し、本実施の形態では、低線速度ｖ１の場合には後端パルスに対して補正を加えない。
【００６７】
次にレーザ駆動工程（Ｓ２０７）により、レーザ駆動回路６はレーザ光１５のパワーレベルを変調させる。このパワーレベルは補正された記録パルス信号１４と、システム制御回路２からのパワー設定信号１６により決定される。すなわち、記録パルス列信号がＨの場合には記録パワーＰｗで、記録パルス列信号がＬの場合には消去パワーＰｅで発光する。その結果、レーザ光１５の発光波形は図３（ｅ）に示すようにパワーレベルが変化する。
【００６８】
次に記録工程（Ｓ２０８）により、図３（ｆ）の記録パターンに示すように、レーザ光１５により、記録トラック３０４上に符号長５Ｔに相当するマーク３０５を形成する。
【００６９】
この低線速度ｖ１では、マーク後部が前部に比べて太くなってマーク形状が歪むことを避けるために、ＴＬ１はＴｗ１に対して小さくする。このことを図４および図５を参照して説明する。
【００７０】
図４および図５は、低線速度で記録する場合に、溶融領域およびマーク形状が、後端パルス幅ＴＬ１に依存して変化する状態を示す。図４は小さい後端パルス幅ＴＬａにより記録した場合（本実施の形態に相当）、図５は大きい後端パルス幅ＴＬｂにより記録した場合の、レーザ発光波形（ａ）および記録パターン（ｂ）を示す。
【００７１】
マーク後部を記録するときには、マーク前部を記録したときの熱が後部に伝導するために、熱が蓄積しやすい。そのため、図４（ｂ）および図５（ｂ）の溶融領域４０２、５０２に示すように、後部の溶融領域の幅（トラックに対する直交方向の幅）がマーク中央部よりも太くなる傾向がある。この傾向は線速度がより低い場合ほど顕著に現れる。
【００７２】
そのため、図５（ａ）のように後端パルス幅ＴＬｂをチャネルクロック周期Ｔｗに対して大きくして記録すると、図５（ｂ）に示すようにマーク後部の溶融領域５０２に拡大により、形成されるマーク５０１は後部の幅ＷＬｂが太くなる。その結果、マーク前部の幅ＷＴｂと後部の幅ＷＬｂが異なるものとなり、形成されるマークの形状が歪んで、このマークを再生したときの信号品質が低下する。
【００７３】
これに対して、図４（ａ）に示すように、後端パルス幅ＴＬａをチャネルクロック周期Ｔｗに対し小さくして記録すると、図４（ｂ）に示すように、マーク後部の溶融領域４０２の拡大は抑制される。その結果、マーク４０１の後部の幅ＷＬａが過剰に太くなることはなく、マーク前部の幅ＷＴａとマーク後部の幅ＷＬａが等しく、歪みのない良好なマーク形状が得られる。従って良好な信号品質での再生が可能となる。
【００７４】
一方、本実施の形態に基づき高線速度ｖ２で記録する（すなわち、高い転送レートで記録する）場合における、装置各部の信号波形を図６（ａ）〜（ｅ）に、トラック上の記録パターンを図６（ｆ）に示す。
【００７５】
低線速度ｖ１の場合と異なるのは、図２に示した後端パルス幅補正工程（Ｓ２０６）において、後端パルス幅ＴＬ２を後端エッジにおいてΔＴＬ２だけ拡大して、チャネルクロック周期Ｔｗ２に対する後端パルス幅ＴＬ２の比が大きくなるように設定することである。これにより、マーク後部を形成するときにはより多くの熱が与えられて、溶融後は緩やかに冷却する。その結果、マーク後部の形成時に冷却速度が過剰になることに起因してアモルファスが安定になりすぎることを回避できる。したがって、レーザスポットと媒体の相対速度が高くなる高線速度においても、オーバーライト時に消し残りが生ずることはなく、データを信号品質良く記録できる。
【００７６】
なお、図３および図６の（ｄ）補正された記録パルス信号１４において、マルチパルス３０２、６０２のデューティ比は変化していない。そのため、チャネルクロック周期Ｔｗ２が小さくなっても、記録パルス間の幅が極端に小さくなることはないので、高線速度の場合でも、レーザ光を各パワーレベル間で安定に変調・発光動作させることができる。また、マーク中央部の記録時に過剰に熱エネルギーが与えられることがないので、マーク中央部が太くなるマーク歪みを抑制することができる。
【００７７】
以上述べたように、本実施の形態の要点は、ｖ１＜ｖ２である２種類の線速度ｖ１およびｖ２において、下記の条件式（１）を満足するように設定することである。
【００７８】
（ＴＬ１／Ｔｗ１）＜（ＴＬ２／Ｔｗ２）      ・・・（１）
つまり、低線速度ｖ１と高線速度ｖ２の各場合の間で、チャネルクロック周期に対する後端パルスの幅の比を、図３（ｅ）と図６（ｅ）の関係に示すように変化させ、低線速度では後端パルス幅を相対的に小さく、高線速度では相対的に大きくする。これにより、歪みのないマークを形成することができるとともに、高線速度ではオーバーライト時の消し残りをなくすことができる。
【００７９】
また、上述の例では、マルチパルスのデューティ比を低線速度と高線速度の場合で一定としたが、線速度の増加に伴ってマルチパルスのデューティ比を大きくすることもできる。但し、線速度の増加率に対するマルチパルス幅の増加率を、後端パルス幅の増加率よりも小さく設定する。そうすれば、マーク中央部が太くなるマーク歪みを十分に抑制しつつ、後端パルス幅を調整することによる上述の効果を得ることができる。すなわち、低線速度ｖ１におけるマルチパルス幅をＴＭ１、高線速度ｖ２におけるマルチパルス幅をＴＭ２としたときに、下記の条件式（２）を満足させる。ここで、マルチパルス幅とは、マルチパルスを形成する各個別パルスの幅を意味する。
【００８０】
（（ＴＭ２／Ｔｗ２）／（ＴＭ１／Ｔｗ１））＜（（ＴＬ２／Ｔｗ２）／（ＴＬ１／Ｔｗ１））
・・・（２）
条件式（１）および（２）を満足させることにより、中央部においても歪みのないマークを形成することができるとともに、高線速度ではオーバーライト時の消し残りをなくすことができ、広い線速度範囲にわたって信号品質良くデータを記録できる。
【００８１】
但し、装置の構成を簡単にするためには、マルチパルスのデューティ比を一定とすることが好ましい。
【００８２】
なお、線速度ｖ１およびｖ２は、複数種類の線速度のうちの２種類の線速度について相互の関係を規定するために抽出されたものである。すなわち、２種類の線速度のみが用いられることを意味する訳ではなく、３種類以上の線速度が用いられる場合であっても、同様に本実施の形態の方法を適用可能である。
【００８３】
また、本実施の形態において、最も低い線速度ｖ１での後端パルス幅ＴＬ１をマルチパルス幅ＴＭ１と等しくすれば、この線速度ｖ１における後端パルスをマルチパルスと同様に生成させることができる。従って、線速度ｖ１では後端パルスのみを独立に生成および補正する必要がなくなるので、装置の構成を簡略化できるという、さらなる利点を生ずる。
【００８４】
（実施の形態２）
次に、図７のフローチャート、および図８〜図１１の動作図を参照して、実施の形態２における光学的情報記録方法および光学的情報記録装置について説明する。本実施の形態における光学的情報記録装置の基本構成は、図１に示した実施の形態１のものと同様である。
【００８５】
図７は、本実施の形態の光学的情報記録方法による記録手順を示す。図８は、同方法により線速度を高くして記録する場合の信号波形およびトラック上の記録パターンを示す。図９は線速度を低くして記録する場合の信号波形および記録パターンを示す。図１０および図１１は、線速度を低くして記録する場合に、前端パルスの幅を変化させたときの信号波形および記録パターンを示す。図８〜図１１には、図３〜図６と同様に、符号長５Ｔのマークを記録する場合を例として動作を示す。
【００８６】
図８および図９の各図において、（ａ）はチャネルクロック信号、（ｂ）は変調信号１２（図１参照）の波形、（ｃ）は記録パルス信号１３の波形、（ｄ）は補正した記録パルス信号１４の波形、（ｅ）はレーザ光１５の発光波形を示す。記録パルス信号１３はそれぞれ、前端パルス８０１、９０１、マルチパルス８０２、９０２、および後端パルス８０３、９０３からなる記録パルス列により構成される。（ｆ）は、レーザ光１５によりマーク８０４あるいは９０４が記録された後のトラック３０４上の記録パターンを示す。図１０および図１１において、（ａ）はレーザ光１５の発光波形、（ｂ）は、マーク１００１あるいは１１０１が記録されたトラック３０４上の記録パターンを示す。
【００８７】
まず、本実施の形態で高線速度ｖ２で記録する（すなわち、高い転送レートで記録する）場合の、特にデータを記録する動作について、図７のフローチャートに従って説明する。ここで、図２に示した実施の形態１の場合と同様の工程については、同様のステップ参照番号を付して、要点に絞って説明する。
【００８８】
まず、線速度設定工程（Ｓ２０１）およびシーク動作工程（Ｓ２０２）により、所定の線速度で回転させた光ディスク１（図１参照）上の所定の記録領域に、光ヘッド７を位置させる。
【００８９】
次にパワー決定工程（Ｓ２０３）により、システム制御回路２が、この線速度で最適な記録パワー・消去パワー等を決定して、レーザ駆動回路６にパワー設定信号１６を出力する。これらのパワーレベルは、光ディスク１に対してテスト記録することで決定することができる。また、光ディスク１のコントロールトラック領域上に、パワーレベルを表す情報が記録されているのであれば、この情報を読み出すことにより決定してもよい。
【００９０】
次に変調工程（Ｓ２０４）により、システム制御回路２からの記録データが、図８（ａ）に示すチャネルクロック信号に基づき、変調回路３により変調される。変調回路３は、図８（ｂ）に示す変調信号１２を送出する。
【００９１】
次に記録パルス信号発生工程（Ｓ２０５）により、記録パルス生成回路４は変調信号に基づき、図８（ｃ）に示す記録パルス信号１３を出力する。ここまでは、実施の形態１と同様の動作である。
【００９２】
次に前端パルス幅補正工程（Ｓ７０１）により、記録パルス補正回路５が、記録パルス信号１３を構成する各記録パルスの幅やエッジ位置を補正して、レーザ駆動回路６に対し補正された記録パルス信号１４を出力する。但し、本実施の形態では、高線速度ｖ２の場合には前端パルスに対して補正を加えない。
【００９３】
次にレーザ駆動工程（Ｓ２０７）により、レーザ駆動回路６はレーザ光１５のパワーレベルを変調させる。このパワーレベルは補正された記録パルス信号１４と、システム制御回路２からのパワー設定信号１６により決定される。すなわち、記録パルス列信号がＨの場合には記録パワーＰｗで、記録パルス列信号がＬの場合には消去パワーＰｅで発光する。その結果、レーザ光１５の発光波形は図８（ｅ）に示すようにパワーレベルが変化する。
【００９４】
次に記録工程（Ｓ２０８）により、図８（ｆ）に示すように、レーザ光１５により、記録トラック３０４上に符号長５Ｔに相当するマーク８０４を形成する。
【００９５】
一方、本実施の形態に基づき低線速度ｖ１で記録する（すなわち、低い転送レートで記録する）場合における、装置各部の信号波形を図９（ａ）〜（ｅ）に、トラック上の記録パターンを図９（ｆ）に示す。
【００９６】
高線速度の場合と異なるのは、前端パルス幅補正工程（Ｓ７０１）において、前端パルス幅ＴＳ１を前端エッジにおいてΔＴＳ１だけ拡大して、チャネルクロック周期Ｔｗ１に対する前端パルス幅ＴＳ１の比を大きくするように設定することである。これにより、低線速度ｖ１で記録するときに溶融後の再結晶化が進行してマーク前部の幅が小さくなること抑制することができる。このことを図１０および図１１を参照して説明する。
【００９７】
図１０および図１１は、低線速度で記録する場合に、溶融領域およびマーク形状が前端パルス幅ＴＳ１に依存して変化する状態を示す。図１０は小さい前端パルス幅ＴＳｃにより記録した場合、図１１は大きい前端パルス幅ＴＳｄにより記録した場合（本実施の形態に相当）の、レーザ発光波形（ａ）および記録パターン（ｂ）を示す。
【００９８】
マークの前部については、マーク前部を形成した後もレーザが記録パワーで発光を続ける（すなわち、照射エネルギーが高い状態が続く）ために、溶融後の温度が低下しにくい。そのため、図１０（ｂ）に示すように、溶融領域１００２の幅に対して、形成されるマーク１００１の幅が小さくなる傾向がある。この傾向は低線速度で記録する場合ほど顕著に現れる。その結果、マーク前部の幅ＷＴｃと後部の幅ＷＬｃが異なるものとなり、形成されるマークの形状が歪んで、このマークを再生したときの信号品質が低下する。
【００９９】
これに対して、図１１（ａ）のように前端パルス幅をチャネルクロック周期Ｔｗに対して大きくして記録すると、図１１（ｂ）に示すように、溶融領域１１０２のマーク前部に対応する部分が拡大して、形成されるマーク１１０１の幅が細くなるのが補償される。その結果、マーク前部の幅ＷＴｄとマーク後部の幅ＷＬｄが等しく歪みのない、良好なマーク形状が得られる。従って良好な信号品質での再生が可能となる。
【０１００】
以上述べたように、本実施の形態の要点は、低線速度ｖ１と高線速度ｖ２の場合の間で、下記の条件式（３）を満足するように設定することである。
【０１０１】
（ＴＳ１／Ｔｗ１）＞（ＴＳ２／Ｔｗ２）      ・・・（３）
つまり、チャネルクロック周期に対する前端パルスの幅の比を、図８（ｅ）と図９（ｅ）の関係に示すように変化させ、低線速度では前端パルス幅を相対的に大きく、高線速度では相対的に小さくする。これにより、低線速度では歪みのないマークを形成することができるので、広い線速度範囲にわたって信号品質良くデータを記録できる。
【０１０２】
さらに、線速度の減少に伴ってマルチパルスのデューティ比を大きくすることもできる。但し、線速度の減少率に対するマルチパルス幅の増加率を、前端パルスの増加率に対して小さくする。そうすれば、上述の実施の形態１と同様に、マーク中央部が太くなるマーク歪みを抑制することができる。すなわち、低線速度ｖ１におけるマルチパルス幅をＴＭ１、高線速度ｖ２におけるマルチパルス幅をＴＭ２としたときに、下記の条件式（４）を満足させる。
【０１０３】
（（ＴＭ１／Ｔｗ１）／（ＴＭ２／Ｔｗ２））＜（（ＴＳ１／Ｔｗ１）／（ＴＳ２／Ｔｗ２））
・・・（４）
但し、装置の構成を簡単にするためには、マルチパルスのデューティ比を一定とすることが好ましい。
【０１０４】
（実施の形態３）
上記２つの実施の形態では、低線速度ｖ１と高線速度ｖ２の２種類の線速度で記録する場合を示したが、ＣＡＶ記録方式では、媒体中の記録再生位置によって線速度と転送レートが連続的に変化する。このような場合には、低線速度ｖ１での発光波形と高線速度ｖ２での発光波形をなめらかにつなぐことにより、中間の線速度での発光波形を決定することが好ましい。本実施の形態は、実施の形態１または２の光学情報記録方法を、そのような態様により構成した例である。
【０１０５】
図１２は、実施の形態１において、線速度がｖ１からｖ２までの範囲で連続的に変化して記録するときの、後端パルス幅の設定の一例を示す。線速度ｖ１では、図３（ｅ）に示すレーザ光の発光波形、すなわち、チャネルクロック周期に対する後端パルスの幅の比（ＴＬ１／Ｔｗ１）で発光させる。線速度ｖ２では、図６（ｅ）に示す発光波形、すなわち、チャネルクロック周期に対する後端パルスの幅の比（ＴＬ２／Ｔｗ２）で発光させる。そして、チャネルクロック周期に対する後端パルス幅の比を、線速度ｖ１での比（ＴＬ１／Ｔｗ１）とｖ２での比（ＴＬ２／Ｔｗ２）との間でなめらかに変化させる。この変化は、図１２に示すように線形であってもよいし、単調に変化するなめらかな曲線でつながれたものであってもよいし、単調で段階的に変化するものであってもよい。ただし、線速度の増大に応じて、チャネルクロック周期に対する後端パルス幅の比は増大するように設定することが望ましい。
【０１０６】
同様に図１３は、実施の形態２において、線速度がｖ１からｖ２までの範囲で連続的に変化して記録するときの、前端パルス幅の設定の一例を示す。図１２に示す形態と同様に、チャネルクロック周期に対する前端パルス幅の比を、線速度ｖ１での比（ＴＳ１／Ｔｗ１）とｖ２での比（ＴＳ２／Ｔｗ２）との間でなめらかに変化させる。このとき、線速度の増大に応じて、チャネルクロック周期に対する前端パルス幅の比は減少するように設定することが望ましい。
【０１０７】
図１２および図１３のように線速度に応じて記録パルス幅を変化させる実施の形態において、ｖ１とｖ２の間の線速度における記録パルス幅を決定するもっとも簡便な方法は、線速度ｖ１、ｖ２のそれぞれにおける記録パルス幅に基づき、所望の線速度での記録パルス幅を内挿して決定する方法である。
【０１０８】
（実施の形態４）
上述の各実施の形態では、図１４（ａ）に示すように、前端パルスと後端パルスとの間にマルチパルスを設けて記録パルス列を構成する例を示した。これに対して、図１４（ｂ）に示すように、前端パルスと後端パルスとの間を一定のパワーレベルＰｂとして記録パルスを構成することもできる。この場合であっても、前端パルス幅および後端パルス幅を、上述の各実施の形態のような関係で変化させれば、同様に信号品質良くデータを記録できる。
【０１０９】
前端パルスと後端パルスとの間のパワーレベルＰｂは、固定である方が装置の構成を簡素にするためには望ましいが、線速度の変化に伴ってパワーレベルＰｂを変化させることもできる。但し、線速度の変化率に対するパワーレベルＰｂの変化率を、後端パルス幅の変化率よりも小さく設定する。そうすれば、マーク中央部が太くなるマーク歪みを十分に抑制しつつ、後端パルス幅あるいは前端パルス幅を調整することによる上述の効果を得ることができる。パワーレベルＰｂの変化率設定の条件について、以下に説明する。
【０１１０】
記録パワーＰｗ、消去パワーＰｅ、およびパワーレベルＰｂに対して、パワーレベル比αを、下記の式（５）により定義する。
【０１１１】
α＝（Ｐｗ−Ｐｂ）／（Ｐｗ−Ｐｅ）      ・・・（５）
この定義によれば、パワーレベル比αとマルチパルスのデューティ比は、エネルギー的に等価になる。線速度ｖ１におけるパワーレベル比α１、線速度ｖ２におけるパワーレベル比をα２は、下記の式（６）、（７）に示すとおりである。
【０１１２】
α１＝（Ｐｗ−Ｐｂ１）／（Ｐｗ−Ｐｅ）  ・・・（６）
α２＝（Ｐｗ−Ｐｂ２）／（Ｐｗ−Ｐｅ）  ・・・（７）
式中、Ｐｂ１は線速度ｖ１における記録パルスの中央部のパワーレベル、Ｐｂ２は線速度ｖ２における記録パルスの中央部のパワーレベルを示す。
【０１１３】
パワーレベル比α１、α２に対して、実施の形態１に対応する構成の場合は、下記条件式（８）を満足するようにパワーレベルＰｂを設定する。
【０１１４】
（α２／α１）＜（（ＴＬ２／Ｔｗ２）／（ＴＬ１／Ｔｗ１））  ・・・（８）
実施の形態２に対応する構成の場合は、下記条件式（９）を満足するようにパワーレベルＰｂを設定する。
【０１１５】
（α２／α１）＜（（ＴＳ１／Ｔｗ１）／（ＴＳ２／Ｔｗ２））  ・・・（９）
これにより、マルチパルスの場合と同様に、マーク中央部が太くなるマーク歪みを抑制することができる。
【０１１６】
なお、以上の実施の形態では、それぞれ後端パルス幅と前端パルス幅のいずれか一方を線速度に対して変化させるものとしたが、両方のパルス幅を同時に上述のように変化させることがより好ましい。この場合、広い線速度範囲に対してさらに信号品質良くデータを記録できるという利点を生ずる。
【０１１７】
また、上記の各実施の形態において、ｖ１とｖ２における前端パルス幅または後端パルス幅は、最適な値をテスト記録から決定するようにしても良い。この場合、媒体の種類や装置の状態に応じて最良のパルス幅が決定できる利点がある。
【０１１８】
あるいは、ｖ１とｖ２における前端パルス幅または後端パルス幅を、記録媒体のコントロールトラック（すなわち、記録媒体に関する情報を記録する領域）に記録しておけば、記録媒体を光学的情報記録装置に装着後、すぐに線速度に応じたパルス幅を決定することができる利点が得られる。このパワーレベルの情報は、光学的情報記録装置が媒体に記録されてもよいし、媒体の製造時にあらかじめ記録されてもよい。
【０１１９】
さらに、上記の各実施の形態では、レーザ発光波形のパワーレベルをＰｗとＰｅの２レベルで変化させるものとしたが、３レベル以上の間で変化させても良い。例えば、各記録パルス間のパワーレベル（ボトムレベルともいう）をＰｅより高いレベルとしても良いし、Ｐｅよりも低くしても良い。ここで、この記録パルス間のパワーレベルは、線速度の増大に応じて高くするように設定した方が、高線速度での記録時に冷却速度が過剰にならず、オーバーライト時の消し残りが少なくなる点でより好ましい。
【０１２０】
また、上記の各実施の形態において、記録パルスまたは記録パルス列の後に冷却パルスを付加した記録パルス列としても、上記と同様の効果が得られる。
【０１２１】
なお、記録パルスの変調方式、各パルスの長さ・位置等は、上述の各実施の形態で示したものに限られず、記録条件や媒体に応じて適切なものを設定することが可能である。また、マーク同士の熱干渉の影響を避けるため、記録パルスのエッジ位置を補正することもできる。
【０１２２】
また、上記の光ディスクは相変化材料、光磁気材料や色素材料等、マークとスペースで光学的特性の異なる媒体であればいずれも上記の方法を適用することができる。
【０１２３】
さらに、本発明の光学的情報記録方法、光学的情報記録装置および光学的情報記録媒体を、パーソナルコンピュータ、サーバー、レコーダー等に適用しても、上述と同様の効果を得ることができる。
【産業上の利用可能性】
【０１２４】
本発明にかかる光学的情報記録方法、光学的情報記録装置および光学的情報記録媒体は、例えばＤＶＤ、ＢＤ（Ｂｌｕｅ−ｒａｙ  Ｄｉｓｋ）用記録媒体などの書換・追記型情報記録媒体や光磁気記録媒体として、また、これらの媒体に対する情報記録装置・方法等の用途に有用である。
【図面の簡単な説明】
【０１２５】
【図１】本発明の実施の形態に係る光学情報記録再生装置の構成を示すブロック図
【図２】本発明の実施の形態１に係る光学情報記録方法の手順を示すフローチャート
【図３】同記録方法により低線速度でレーザ光を変調してマークを記録する一例における信号波形および記録パターンを示す図
【図４】低線速度の場合にレーザ光を変調してマークを記録する際の問題を示す信号波形および記録パターンを示す図
【図５】低線速度の場合にレーザ光を変調してマークを記録する際の問題を示す信号波形および記録パターンを示す図
【図６】実施の形態１において、高線速度の記録でレーザ光を変調してマークを記録する一例における信号波形および記録パターンを示す図
【図７】本発明の実施の形態２に係る光学情報記録方法の手順を示すフローチャート
【図８】同記録方法により高線速度でレーザ光を変調してマークを記録する一例における信号波形および記録パターンを示す図
【図９】実施の形態２において、低線速度でレーザ光を変調してマークを記録する一例における信号波形および記録パターンを示す図
【図１０】低線速度の場合にレーザ光を変調してマークを記録する際の問題を示す信号波形および記録パターンを示す図
【図１１】低線速度の場合にレーザ光を変調してマークを記録する際の問題を示す信号波形および記録パターンを示す図
【図１２】実施の形態３に係る光学情報記録方法における線速度に対する後端パルス幅の変化を説明する図
【図１３】同光学情報記録方法における線速度に対する前端パルス幅の変化を説明する図
【図１４】実施の形態４における記録パルスを説明するための波形図
【図１５】従来例において、高線速度でレーザ光を変調してマークを記録する場合の信号波形および記録パターンを示す図
【符号の説明】
【０１２６】
１    光ディスク
２    システム制御回路
３    変調回路
４    記録パルス生成回路
５    記録パルス補正回路
６    レーザ駆動回路
７    光ヘッド
８    線速度設定回路
９    スピンドルモーター
１０    再生信号処理回路
１１    復調回路
１２    変調信号
１３    記録パルス信号
１４    補正した記録パルス信号
１５    レーザ光
１６    パワー設定信号
３０１，６０１，８０１，９０１，１４０１，１４０４，１５０１    前端パルス
３０２，６０２，８０２，９０２，１４０２，１５０２    マルチパルス
３０３，６０３，８０３，９０３，１４０３，１４０５，１５０３    後端パルス
３０４    トラック
３０５，４０１，５０１，６０４，８０４，９０４，１００１，１１０１    マーク
４０２，５０２，１００２，１１０２    溶融領域
【図１】
2005302271.tif 000003
【図２】
2005302271.tif 000004
【図３】
2005302271.tif 000005
【図４】
2005302271.tif 000006
【図５】
2005302271.tif 000007
【図６】
2005302271.tif 000008
【図７】
2005302271.tif 000009
【図８】
2005302271.tif 000010
【図９】
2005302271.tif 000011
【図１０】
2005302271.tif 000012
【図１１】
2005302271.tif 000013
【図１２】
2005302271.tif 000014
【図１３】
2005302271.tif 000015
【図１４】
2005302271.tif 000016
【図１５】
2005302271.tif 000017